(57)【要約】【課題】　本発明の目的は、力が掛かったときにハリスが切れにくい結び方の可能な釣り針および釣り針への糸締結方法を提供することにある。【解決手段】　本発明は、先端側の針先部１１ａと、針先部１１ａと連続して一体に設けられた後端側の針胴部１２と、針胴部１２のうち糸が捲回される特定部分１３と、を備えた釣り針５である。　針胴部５の特定部分１３より所定距離外側の部分は、切断用溝２１によって切断可能である。【選択図】図７
2004105194.tif 000002
【特許請求の範囲】
【請求項１】
　先端側の針先部と、該針先部と連続して一体に設けられた後端側の針胴部と、該針胴部のうち糸が捲回される特定部分と、を備えた釣り針であって、
　前記針胴部の特定部分より所定距離外側の部分は、切断用溝によって切断可能であることを特徴とする釣り針。
【請求項２】
　前記特定部分から前記切断用溝までの距離が、５ｍｍ以下であることを特徴とする請求項１記載の釣り針。
【請求項３】
　前記切断用溝は、切断後に残る連結部の痕が、前記針胴部の太さの中心付近に位置するように設けられることを特徴とする請求項１記載の釣り針。
【請求項４】
　先端側の針先部と、該針先部と連続して一体に設けられた後端側の針胴部と、該針胴部のうち糸が捲回される特定部分と、を備えた釣り針であって、
　前記釣り針の針胴部には、前記特定部分を露出して前記針胴部の後端側を嵌装し、前記後端方向に延長する筒体からなる取っ手部材が嵌合固定されていることを特徴とする釣り針。
【請求項５】
　先端側の針先部と、該針先部と連続して一体に設けられた後端側の針胴部と、該針胴部のうち糸が捲回される特定部分と、を備えた釣り針への糸締結方法であって、
　前記針胴部後端側に、前記特定部分を露出し、前記後端方向に延長するように、取っ手部材を嵌合固定させる取っ手部材固定工程と、
　前記糸の一端側を前記取っ手部材に押し付けて挟持しながら、前記露出した特定部分に、前記糸を捲回する糸捲回工程と、
　該糸捲回工程の後で、前記取っ手部材を、前記針胴部から除去する取っ手部材除去工程と、を行うことを特徴とする釣り針への糸締結方法。
【発明の詳細な説明】
【技術分野】
【０００１】
　本発明は釣り針および釣り針への糸締結方法に係り、特に結びつけた釣り糸が切れにくい構造の釣り針および釣り針への糸締結方法に関する。
【背景技術】
【０００２】
　図１５に示す釣り用の仕掛けが広く用いられている。この仕掛けは、釣り竿８に道糸１を取り付け、その先にサルカン６を介して幹糸２を連結し、幹糸２に分岐するようにハリス３を結び付け、ハリス３の先に釣り針５を結び付けたものである。
　釣り針５としては、図１６（Ａ）（Ｂ）に示す「チモト針」５０が、一般的に用いられている。図１６（Ａ）は、横から見たチモト針５０の全体像を示す説明図であり、図１６（Ｂ）は、図１６（Ａ）の上側から見たチモト針５０のチモト部５３の説明図である。このチモト針５０は、針先部５１ａと、曲がり５１ｂと、胴部５２と、チモト部５３と、を備えている。胴部５２は、断面が略円形，略楕円形，矩形等に形成されているが、チモト部５３は、図１６（Ａ）（Ｂ）に示すように、平らな団扇形の略板状体として形成されている。また、チモト部５３は、胴部５２とチモト部５３とが、くの字形を形成するように、胴部５２に対して、所定の角度をもって屈曲されている。
　図１６（Ａ）（Ｂ）に示すチモト針５０のようなチモト針としては、例えば、特許文献１に開示されたものなどがある。
【０００３】
【特許文献１】実公４８−７５９０
【０００４】
　図１６（Ｃ）は、チモト針５０に、釣り糸であるハリス３を結びつけた場合の図である。
　チモト針５０へのハリス３の結び方には、様々なものがあるが、結び方の一例を図１７乃至図１９に基づき説明する。
　まず、図１７に示すように、ハリス３の糸巻き側３ｂをチモト針５０の曲がり５１ｂ側に、ハリス３の仕掛け側３ａをチモト針５０のチモト部５３側にして、環３ｃを作る。この環３ｃは、最終的に必要なハリスの長さの糸で作る。また、仕掛け側３ａの先は、結びやすくするために、予め結んでおいてもよい。次いで、環３ｃの交差部３ｄの交差チモト側部３ｆを、図面奥側から手前側に来るように、針胴部５２の周りに巻く。その後、図１８に示すように、図面奥側から手前側に、交差チモト側部３ｆを針胴部５２の周りに、５回から１５回程度巻き付ける。次いで、図１９のように、環３ｃが小さくなるよう、ハリス３の仕掛け側３ａをＦ１側に引き、結び目３１とする。ハリス３の糸巻き側３ｂを、結び目３１から数ｍｍの箇所で切断し、図１６（Ｃ）の結び目３１を完成させる。
【０００５】
　このようにして結んだチモト針５０とハリス３とを、図１５に示す釣り用の仕掛けに用いて釣りを行った場合、魚が針先部５１ａに掛かると、結び目３１には、図１６（Ｃ）に示すＦ２の方向に力が掛かる。このとき、結び目３１のうち最もチモト部５３側の結び目３２は、チモト部５３側に引っ張られ、団扇形に広がったチモト部５３で支えられるので、ハリス３とチモト針５０とは、連結された状態で維持されることとなる。
【０００６】
　しかし、胴部５２の周の長さよりも、チモト部５３の周囲の長さの方が大きいため、Ｆ２の方向に力が掛かったときには、チモト部５３側の結び目３２が、チモト部５３によって押し広げられる。また、力Ｆ２が掛かると、結び目３１を構成する糸は、針胴部５２を締め付けるようになる。結び目３１が胴部５２を締め付ける方向に働く力と、チモト部５３が結び目３２を押し広げようとする力とが同時に掛かる結果、チモト部５３側の結び目３２でハリス３が切れ易いという問題点があった。
【０００７】
　また、図１７乃至図１９に示す従来の結び方によれば、最後にＦ１方向へハリス３の仕掛け側３ａを引くため、環３ｃの長さが、最後にハリス３ａの長さに加わることとなる。したがって、最終的に必要となるハリス３の長さを考慮に入れながら、予め環３ｃの大きさを決める必要があり、ハリス３の長さの調整に、熟練が必要であった。また、最後に、結び目３１を押さえてＦ１方向へ仕掛け側３ａを引くときに、環３ｃを指でしごくこととなるため、指でしごかれた糸がハリス３を構成することとなり、ハリス３の強度が弱くなるという問題点があった。
【発明の開示】
【発明が解決しようとする課題】
【０００８】
　本発明の目的は、上記問題点を解決することにあり、力が掛かったときにハリスが切れにくい結び方の可能な釣り針および釣り針への糸締結方法を提供することにある。
【課題を解決するための手段】
【０００９】
　上記課題は、請求項１に係る発明によれば、先端側の針先部と、該針先部と連続して一体に設けられた後端側の針胴部と、該針胴部のうち糸が捲回される特定部分と、を備えた釣り針であって、前記針胴部の特定部分より所定距離外側の部分は、切断用溝によって切断可能であることにより解決される。
　このように、針胴部の特定部分より所定距離外側の部分は、切断用溝によって切断可能に構成されているため、針胴部の特定部分より所定距離外側の部分を少し長くしておき、糸を結び付けるときの取っ手として形成することが可能となる。したがって、特定部分に糸を結びつけるときに、針胴部の特定部分より所定距離外側の部分を支えながら糸を結ぶことができるので、指が邪魔にならず、容易に糸を結ぶことが可能となる。また、従来困難であった結び方を行うことが可能となる。
　また、取っ手として利用した針胴部の特定部分より所定距離外側の部分を、糸を結びつけた後に切断用溝で切断でき、釣り針として使用するときに不要な部分を除去することが可能となる。
【００１０】
　このとき前記特定部分から前記切断用溝までの距離が、５ｍｍ以下であると好適である。
　このように構成しているので、釣り針５に釣り糸を結びつけた後、切断用溝より外側の部分を針胴部から除去したときに、釣り針の特定部分の外側に残る距離が、５ｍｍ以下となり、魚がかかり易くなるからである。つまり、糸が捲回される特定部分の後端から釣り針の後端までの距離を５ｍｍより長くすると、釣り針の針胴部が長くなるため、魚がかかりにくくなるのである。
【００１１】
　このとき前記切断用溝は、切断後に残る連結部の痕が、前記針胴部の太さの中心付近に位置するように設けられると好適である。
　このように構成しているので、切断用溝で折った後に、針胴部後端に残る切断用溝の連結部の痕が、釣り糸に触れにくくなり、切断用溝の連結部の痕が、釣り糸を傷つけることを防止することができる。
【００１２】
　上記課題は、請求項４に係る発明によれば、先端側の針先部と、該針先部と連続して一体に設けられた後端側の針胴部と、該針胴部のうち糸が捲回される特定部分と、を備えた釣り針であって、前記釣り針の針胴部には、前記特定部分を露出して前記針胴部の後端側を嵌装し、前記後端方向に延長する筒体からなる取っ手部材が嵌合固定されていることにより解決される。
　このように、取っ手部材を備えているため、針胴部側を指で支えて特定部分に糸を結び付けることが可能となる。したがって、特定部分に糸を結びつけるときに、指が邪魔にならず、針先側を支えて糸を結びつける従来の方法と対比して、容易に糸を結ぶことが可能となる。また、針胴部側を支えて糸を結ぶことが可能となるため、従来困難であった結び方を行うことが可能となる。
【００１３】
　上記課題は、請求項５に係る発明によれば、先端側の針先部と、該針先部と連続して一体に設けられた後端側の針胴部と、該針胴部のうち糸が捲回される特定部分と、を備えた釣り針への糸締結方法であって、前記針胴部後端側に、前記特定部分を露出し、前記後端方向に延長するように、取っ手部材を嵌合固定させる取っ手部材固定工程と、前記糸の一端側を前記取っ手部材に押し付けて挟持しながら、前記露出した特定部分に、前記糸を捲回する糸捲回工程と、該糸捲回工程の後で、前記取っ手部材を、前記針胴部から除去する取っ手部材除去工程と、を行うことにより解決される。
　このように、取っ手部材固定工程を備えているため、糸の一端側と針胴部後端側に嵌合固定された取っ手部材とを一緒に挟持して、特定部分に糸を結び付けることが可能となる。取っ手部材を支持しながら糸を結びつけることができるので、糸締結時に、指が邪魔にならず、針先側を支えて糸を結びつける従来の方法と対比して、容易に糸を結ぶことが可能となる。また、針胴部側を支えて糸を結ぶことが可能となるため、従来困難であった結び方が可能となる。
【発明の効果】
【００１４】
　以上のように請求項１に係る発明によれば、先端側の針先部と、該針先部と連続して一体に設けられた後端側の針胴部と、該針胴部のうち糸が捲回される特定部分と、を備えた釣り針であって、針胴部の特定部分より所定距離外側の部分を少し長くしておき、糸を結び付けるときの取っ手として形成することが可能となる。したがって、特定部分に糸を結びつけるときに、針胴部の特定部分より所定距離外側の部分を支えながら糸を結ぶことができるので、指が邪魔にならず、容易に糸を結ぶことが可能となる。また、針胴部の特定部分より所定距離外側の部分を支えて糸を結ぶことが可能となるため、従来困難であった結び方を行うことが可能となる。
　また、糸を結びつけるときに取っ手として利用した針胴部の特定部分より所定距離外側の部分を、糸を結びつけた後に切断用溝で切断でき、釣り針として使用するときに不要な部分を除去することが可能となる。
【発明を実施するための最良の形態】
【００１５】
　（実施の形態１）
　以下、本発明の一実施形態を図面に基づいて説明する。なお、以下に説明する構成は本発明を限定するものでなく、本発明の趣旨の範囲内で種々改変することができるものである。
　本実施形態の釣り針５は、請求項１に係る発明の実施形態である。
　本実施形態の釣り針５は、図７に示す釣り針であり、一体として形成された針先部１１ａと、曲がり１１ｂと、針胴部１２と、切断用溝２１と、支持部材２２とを備えている。針胴部１２の構成は、図１に示す針胴部１２と同様であるが、図２〜図４に示すもの，または図１６に示す一般的なチモト針のチモト等，他の構成としてもよい。
【００１６】
　支持部材２２は、釣り針５の特定部分より所定距離、例えば１ｍｍ〜５ｍｍの距離，好ましくは１ｍｍ〜２ｍｍの距離以上外側の部分であって、針胴部１２と同程度の太さを有する断面矩形の棒体からなり、針胴部１２に釣り糸を結びつけるときに、手で釣り針５を支えるための取っ手としての役割を果たす。また、支持部材２２の断面が矩形であるため、針胴部１２に釣り糸を結びつけるときに、手で支持部材２２をしっかりと支えることが可能となり、また、釣り針５と支持部材２２が回転するのを防ぐことが可能となる。
　支持部材２２を、釣り針５の特定部分より１ｍｍ〜５ｍｍの距離以上外側の部分としたのは、釣り針５に釣り糸を結びつけた後、支持部材２２を針胴部１２から除去すると、釣り針５の特定部分の外側に残る距離を、１ｍｍ〜５ｍｍとすると、魚がかかり易くなるからである。つまり、糸捲回部１３の後端から釣り針の後端１２ｃまでの距離を５ｍｍより長くすると、釣り針５の針胴部１２が長くなるため、魚がかかりにくくなるのである。なお、２ｍｍより短くすると、針胴部１２がより短くなり、好適である。
　なお、支持部材２２は、回転防止等のため、支持部材の表面に、傷や凹凸を付けて滑り止め加工をしてもよい。また、断面は、矩形に限られず、六角形等の多角形，楕円，円，星形等の形状としてもよい。
　支持部材２２の長さは、釣り糸を結びつけるときに、手で釣り針５を支え易くするために、２〜３ｃｍ程度とするとよい。
【００１７】
　切断用溝２１は、針胴部１２、支持部材２２よりも極端に細く形成された部分であり、針胴部１２を支えて、人の手などで支持部材２２を揺動させることにより、容易に切断用溝２１で折れ、針胴部１２と支持部材２２とが分離するように形成されている。切断用溝２１の部分は、針胴部１２を支えて支持部材２２を揺動させたときに、針胴部１２に形成された最小径部１３ｃなどが先に折れてしまわないように、十分に細く形成されている。
　また、本実施形態では、切断用溝２１が、図７に示すように、針胴部１２の太さの中心付近に切断用溝２１の痕が残るように設けられている。切断用溝２１で折った後に、針胴部後端１２ｃに残る切断用溝２１の連結部の痕が、釣り糸に触れにくくするために、中心付近に設けたものである。切断用溝２１の連結部の痕は、釣り糸を傷つける可能性があるからである。ただし、針胴部１２の周に近い位置に設けてもよい。
【００１８】
　支持部材２２を備えた本実施形態の釣り針５にハリスを結び付ける手順について説明する。
　本実施形態の釣り針５では、針胴部後端１２ｃ側に、取っ手の役割を果たす支持部材２２があるため、この支持部材２２を支えて、従来困難であった次のような結び方を行うことが可能である。
　この結び方では、まず、ハリス３を糸巻きから切断し、仕掛けを作る。次いで、図８に示すように、ハリス３の仕掛け側３ｉを支持部材２２側に、ハリス３の端部側３ｈを釣り針５の曲がり１１ｂ側にして、環３ｃを作る。次いで、図９に示すように、環３ｃの交差部３ｄの曲がり側３ｆを、図面奥側から手前側に、曲がりを見て時計周りになるように、針胴部１２の周りに、５回から１５回程度巻き付ける。次いで、図１０のように、環３ｃが小さくなるように、ハリス３の端部側３ｈをＦ３側に引き、結び目３１とする。ハリス３の端部側３ｈを、結び目３１から数ｍｍの箇所で切断し、結び目３１を完成させる。支持部材２２を切断用溝２１で折り取り、図１１の結び目３１を備えた釣り針５を完成させる。
【００１９】
　本実施形態の釣り針５は、支持部材２２を備えているため、上記のような結び方が可能となるが、上記の結び方によれば、ハリス３の一方の端部側に、仕掛けを作成した後で、釣り針５に結び付けることが容易である。
　上記結び方によれば、ハリスの３ｉ側に仕掛けを作成しておいた場合でも、ハリス３の長さを所望の長さに容易に調整することが可能である。すなわち、環３ｃの長さは、ハリスの端部側３ｈの長さに加わることとなるため、釣り針５にハリス３を結び付けた後で、仕掛け側３ｉの長さが大きく変化することがないのである。
　また、上記結び方によれば、結び付けるときに指でしごいた部分が、ハリス３を構成することがないため、ハリス３の強度が弱くなることがない。
【００２０】
　また、支持部材２２及び切断用溝２１を設ける代わりに、図１２に示すように、針胴部１２の周囲に、針胴部後端１２ｃ側から針先部１１の逆方向に延びるように、請求項４の取っ手部材としての補助チューブ２３を被せてもよい。筒体からなる補助チューブ２３の内側に設けられた開口が、針胴部１２の後端側を嵌装する。補助チューブ２３としては、ゴム管，ウレタンチューブ等、弾力性を有する素材からなるものを用いる。
　この補助チューブ２３は、釣り糸を結び付けた後に取り外すことができるよう、図１２のように、特定部分としての糸捲回部１３を覆わないように装着しておく。この補助チューブ２３は、上記支持部材２２と同様の機能、すなわち釣り針５に糸を巻き易くする取っ手としての機能を果たす。
【００２１】
　請求項４の取っ手部材としての補助チューブ２３を備えた釣り針５に糸を結びつける手順について説明する。
　まず、糸捲回部１３を被覆しないように、補助チューブ２３を針胴部１２に被せて固定する取っ手部材固定工程を行う。補助チューブ２３は、弾力性素材からなる筒体であるため、補助チューブ２３内に針胴部１２を押し込むことによって固定可能である。
　次いで、補助チューブ２３とハリス３の一端とを一緒に指で挟み、上述の図８乃至図１０と同様の手順で、糸捲回部１３上にハリス３を結びつける糸捲回工程を行う。この糸捲回工程では、補助チューブ２３が、取っ手部材として、図８乃至図１０の支持部材２２と同様の役割を果たす。
　糸捲回工程の後、補助チューブ２３を針胴部１２から外す取っ手部材除去工程を行い、釣り針５に糸を結びつける手順を完了する。
【００２２】
　また、補助チューブ２３の代わりに、図１３に示すように、糸連通口としての切り込み２４ａを備えた補助チューブ２４を、糸捲回部１３を覆うように装着してもよい。この補助チューブ２４は、糸捲回部１３を覆い、針胴部１２から後端１２ｃ方向に延長するように、針胴部１２の周囲に装着されている。筒体からなる補助チューブ２４の内側に設けられた開口が、針胴部嵌装手段と、挿通経路とを構成する。
　補助チューブ２４のうち、釣り針５の特定部分である糸捲回部１３を覆っている部分が、特定部分被覆部を構成する。この特定部分被覆部の上から、糸を巻き付けることとなる。
　切り込み２４ａは、補助チューブ２４の針先部１１側端部に、図１３のように入れられている。図１３では、切り口がくの字形になるよう、三角形に切り取られた切り込み２４ａとして構成されているが、長さ方向に直線の切り込みをいれたものとしてもよい。
　切り込み２４ａを備えた補助チューブ２４は、糸を巻き易くする取っ手としての機能を有する。また、図１３（Ａ）の一点鎖線のように、挿通経路としての補助チューブ２４内開口に、釣り糸を通すことが可能であり、魚による糸噛み切り防止カバーとしての機能を果たす。
【００２３】
　つまり、補助チューブ２４を装着した釣り針５に、糸を結び付けるときには、まず、内側に釣り糸を通した補助チューブ２４を、釣り針５に装着する。その後、切り込み２４ａから釣り糸の先端側を引き出し、補助チューブ２４の上に釣り糸を結ぶ。
　このように、糸捲回部１３を覆う補助チューブ２４を装着しているため、釣り糸を、補助チューブ２４内開口に格納可能となり、釣り針５付近での、魚による糸噛み切りを防止可能となる。フグなど、釣り針５付近の糸を噛み切る習性のある魚を釣る場合に、適している。糸噛み切り防止効果のある特殊素材の糸は、幹糸，ハリスとして使用しにくい欠点があるが、本実施形態の補助チューブ２４を用いることにより、これらの特殊素材の糸を使用することなく、魚による糸噛み切りを防止することが可能となる。
　また、補助チューブ２４は、切り込み２４ａを備えているため、釣り糸の先端側を、切り込み２４ａから糸捲回部１３に引き出すことが可能となり、補助チューブ２４上に糸を結ぶ作業を簡単に行うことが可能となる。
【００２４】
（参考例１）
　以下、本発明の実施形態とは異なる参考例を図面に基づいて説明する。なお、以下に説明する部材，配置等は本発明を限定するものでなく、本発明の趣旨の範囲内で種々改変することができるものである。
　本参考例の釣り針５は、図１５に示すように、釣り具において、使用されるものである。
　この釣り針は、舟釣り、海釣り、サビキ釣り、川釣り、磯釣り、投げ釣り等種々の釣りに使用することができるものであり、カワハギ、アイナメ、カレイ、ソイ、ヒラメ、ナマズ、ウグイ等種々の魚を釣るために用いることができるものである。
【００２５】
　本参考例の釣り針５は、図１に示す釣り針であり、釣り餌を付けるための先端側の針先部１１ａと、曲がり１１ｂと、後端側の針胴部１２とからなる。
　針胴部１２は、断面が略円形になっており、針胴部１２には、中央の最小径部１３ｃが最も細くなった鼓状の細胴部１３ｂが形成されている。最小径部１３ｃの径は、所定の位置１２ｂよりも、釣り糸の直径の２倍〜４倍程度小さくなっている。すなわち、細胴部１３ｂの最小径部１３ｃに、釣り糸を一巻きまたは二巻きすると、所定の位置１２ｂの太さと同程度の太さとなる。
【００２６】
　釣り糸の太さは、釣り糸によって様々であるが、ここでいう釣り糸の直径は、釣り針５と共に使用される釣り糸の直径をいう。釣り針の大きさ，釣り糸の太さは、釣る魚に合わせて選定されるため、所定の釣り針に対して使用される釣り糸の太さは、ある程度決まってくるのである。
　具体的には、川釣りや日本の近海等における海釣り等で、２ｃｍ〜１ｍ強の魚を釣るために用いられる釣り針５の場合には、釣り糸として０．０５ｍｍ〜０．５ｍｍ程度のものを用いるのが一般的であるため、所定の位置１２ｂの径よりも、最小径部１３ｃの径が、０．１ｍｍ〜２ｍｍ程度小さくなるようにするとよい。
【００２７】
　細胴部１３ｂのうち、最小径部１３ｃから所定の位置１２ｂまでが、ハリス等の釣り糸を巻き付けるための特定部分としての糸捲回部１３を構成している。
　所定の位置１２ｂとは、本参考例では、釣り針５の後端１２ｃから所定距離，例えば、１ｍｍ〜５ｍｍ、好ましくは１ｍｍ〜２ｍｍ程度内側の位置であって、最小径部１３ｃより釣り糸を所定回、たとえば５〜１５回並列に捲回可能な距離をおいた位置、すなわち最小径部１３ｃより釣り糸約１０〜２０本分後端１２ｃ側の位置をいう。
　所定の位置１２ｂを、釣り針５の後端１２ｃから所定距離，例えば、１ｍｍ〜５ｍｍ程度内側の位置としたのは、糸捲回部１３の後端から釣り針の後端１２ｃまでの距離を５ｍｍより長くすると、釣り針５の針胴部１２が長くなるため、魚がかかりにくくなるからである。なお、２ｍｍより短くすると、針胴部１２がより短くなり、好適である。
　また、釣り針５に釣り糸を巻き付ける回数は、通常５〜１５回程度であるが、糸捲回部１３に巻き付けられる糸のうち、直接糸捲回部１３に接する糸を、糸捲回部１３の上に並列配置可能な長さを確保したものである。具体的には、最小径部１３ｃより０．５ｍｍ〜１０ｍｍ程度後端１２ｃ側の位置である。
　糸捲回部１３は、所定の位置１２ｂから最小径部１３ｃにかけて、斜辺が直線であるテーパ状に形成されている。なお、所定の位置１２ｂから最小径部１３ｃまでは、斜辺が直線に限られず、斜辺が凸になった曲線、斜辺が凹になった曲線としてもよい。
　以上のように、特定部分は、最小径部１３ｃと所定の位置１２ｂとの径の差の長さと、特定部分の軸方向長さとの比が、１／１０〜２／５程度になるように形成されている。
　このように、糸捲回部１３は、最小径部１３ｃから所定の位置１２ｂにかけて、径が緩やかに大きくなっているので、結び目３１が極端に押し広げられて糸が切れやすくなることを防止することができるのである。
【００２８】
　なお、本明細書中において、「テーパ状」とは、太さを有する軸体の特定部分が、一端側の太さよりも他端側の太さが細くなっていることをいう。この「テーパ状」に形成される軸体は、特定部分の一端側の太さよりも他端側の太さが細くなっていれば良く、断面が円、楕円、矩形、その他の多角形等、いずれの形状となっていてもよい。例えば、断面が矩形の場合には、上下側の幅が一定で、左右側の幅が、一端側よりも他端側が大きくなるように構成されていてもよいし、上下側の幅、左右側の幅の双方が、一端側よりも他端側が大きくなるように構成されていてもよい。また、上下側の幅が、一端側よりも他端側が大きくなるように構成され、左右側の幅が、一端側よりも他端側が小さくなるように形成されているが、断面の周が、全体として一端側よりも他端側が小さくなるように形成されていてもよい。
【００２９】
　また、細い釣り針５では、針胴部１２の後端１２ｃ側部分は、針胴部１２の通常太さの箇所１４よりも、太くなるように形成されていてもよい。これにより、釣り針５が細くても、より大きい力に耐えることが可能となる。
　なお、太い釣り針５では、針胴部１２の後端１２ｃ側部分の太さが、針胴部１２の通常太さの箇所１４の太さと略同じになるように形成してもよい。
【００３０】
　また、図２のように、針胴部１２に、所定の位置１２ｂから最小径部１３ｃに向かって細くなるテーパ状の特定部分としての糸捲回部１３を設け、最小径部１３ｃから糸２本〜３本分程度曲がり１１ｂ側の位置に、突起１５を配設してもよい。突起１５は、針胴部周方向の幅が糸１本〜２本分程度で、高さが糸０．５本〜１本分程度のものとして形成されている。突起１５は、図２に示すように、２箇所等複数箇所に配設してもよいし、１箇所のみ配設してもよい。また、この突起１５は、針胴部１２を囲むように周設された鍔状の円板体，楕円板体，矩形板体等であってもよい。
　このように、突起１５を設けることにより、糸捲回部１３に糸を巻くときに、突起１５が滑り止めの役割を果たすので、針先部１１ａ側に、糸が滑ることがなく、糸捲回部１３に確実に糸を巻くことが可能となる。また、初心者が糸を巻き易いものとすることが可能となる。
　その他の糸捲回部１３の構成は、図１に示す糸捲回部１３の構成と同様である。
【００３１】
　また、図３のように、テーパ状の特定部分としての糸捲回部１３から糸２本〜３本分程度針先部側の位置に、最小径部１３ｃから針先部１１側へ、太さが太くなる段差１６を形成してもよい。
　この段差１６は、糸捲回部１３に糸を巻くための滑り止めの役割を果たし、針先部１１側に、糸が滑ることがなく、糸捲回部１３に確実に糸を巻くことが可能となる。また、初心者が糸を巻き易い糸捲回部１３を構成することが可能となる。
【００３２】
　また、図４のように、針胴部１２に、所定の位置１２ｂから曲がり１１ｂ側の最小径部１３ｃに向かって細くなるテーパ状の特定部分としての糸捲回部１３のみを設けるようにしてもよい。
　図４の釣り針５の構成は、針胴部１２よりも曲がり１１ｂ部分が細く形成されるため、細い釣り針に適している。また、最小径部１３ｃ付近に突起がないため、魚が釣り針をより深くまで吸い込み易くなり、魚を釣り上げる確率を高めることが可能となる。
　また、図１，３，４の釣り針の糸捲回部１３は、図５に示すように、ゴム管，ウレタンチューブ等の弾力性素材からなるチューブ１７で覆われていてもよい。
　このように、弾力性素材からなるチューブ１７で覆われているため、糸を巻いたときに、糸がチューブ１７に食い込んで埋まった状態となり、引っ張り荷重が掛かった場合でも、釣り糸がより針胴部後端１２ｃ側に移動しにくく、釣り糸が切れにくくなる。
　また、チューブ１７で覆われる代わりに、糸捲回部１３の表面が、ゴム・合成樹脂などの弾力性素材によってコーティング加工されていてもよい。
【００３３】
　本参考例の釣り針５に、釣り糸を巻き付ける手順について、図１の釣り針を例として説明する。
　本参考例の釣り針５へのハリス３の結び方には、様々なものがあるが、結び方の一例を図６（Ａ）（Ｂ）に基づき説明する。
　まず、図１７と同様に、ハリス３の糸巻き側３ｂを釣り針５の曲がり１１ｂ側に、ハリス３の仕掛け側３ａを釣り針５の針胴部後端１２ｃ側にして、環３ｃを作る。次いで、環３ｃの交差部３ｄより針胴部端部側の糸を、図６（Ａ）に示すように、図面奥側から手前側に来るように、糸捲回部１３の周りに巻いていく。糸は、糸捲回部１３の周りに、５回から１５回程度巻き付ける。次いで、環３ｃが小さくなるように、ハリス３の仕掛け側３ａをＦ１側に引き、結び目３１とする。ハリス３の糸巻き側３ｂを、結び目３１から数ｍｍの箇所で切断し、図６（Ｂ）の結び目３１を完成させる。
【００３４】
　ハリス３は、図６（Ａ）から明らかなように、仕掛け側３ａが、結び目３１の針先部１１ａ側につながっている。そのため、水中で魚が掛かった場合、釣り針５は、ハリス３を引っ張るため、ハリス３は、結び目３１を、図６（Ｂ）の矢印Ｆ２方向に引っ張る。このときの引っ張り荷重は、直接結び目の針先部１１ａ側に伝達される。
　したがって、引っ張り荷重が掛かると、結び目３１は、針胴部１２を締め付けることとなる。糸捲回部１３は、最小径部１３ｃから所定の位置１２ｂにかけて、徐々に径が大きくなるように構成されているため、結び目３１が針胴部１２を締め付けると、結び目３１は、針胴部１２から、図６（Ｂ）左方向の最小径部１３ｃ側に移動させようとする力ｆを受ける。
　ハリス３に引っ張り荷重が働くと、結び目３１には、最小径部１３ｃ側に引き戻そうとする力ｆが働くため、結び目３１が、径の大きい針胴部後端１２ｃ側に移動することを防止可能となる。その結果、チモト針の場合に問題となっていた結び目３１が極端に押し広げられて糸が切れ易くなるという問題点を防止可能となる。
　また、糸捲回部１３は、最小径部１３ｃから所定の位置１２ｂにかけて、径が緩やかに大きくなっているので、結び目３１が極端に押し広げられて糸が切れやすくなることを防止することができる。
【００３５】
（参考例２）
　次いで、釣り用部材の他の参考例について説明する。
　本参考例のサルカン６は、釣り用部材，ヨリモドシの参考例であり、図１５に示すように、釣り具において、糸と糸，錘，テンビンとの連結などに使用されるものである。サルカンとは、ヨリモドシとも呼ばれている。本発明は、ボックスサルカン（箱型サルカン），タル型サルカン，クレンサルカン，ローリングサルカン，ヘビーサルカン，ブランチハンガー，コークスクリュー付きサルカン，三又サルカン，松葉サルカン等の各種サルカン，ヨリモドシ，ハンガー等に用いることができる。
　サルカン６は、舟釣り、海釣り、サビキ釣り、川釣り、磯釣り、投げ釣り等種々の釣りに使用することができるものであり、カワハギ、アイナメ、カレイ、ソイ、ヒラメ、ナマズ、ウグイ等種々の魚を釣るために用いることができるものである。
【００３６】
　本参考例は、図１４（Ａ）に示すサルカン６である。サルカン６は、鋼製のタル型サルカンであって、タル状形状からなり、上端と下端に開口を有する中空略円筒体のタル４７と、タル４７の第一の開口としての上端開口に係合されたタル４７に対して回動可能な取付用環状体４１と、タル４７の第二の開口としての下端開口に係合されたタル４７に対して回動可能な軸体としての胴部材４２と、を主要構成とする。
　タル４７および取付用環状体４１は、一般的なタル型サルカンと同様の構成である。
【００３７】
　胴部材４２は、タル４７内でタル４７の下端開口に係合した不図示の突起と、太さの比較的太い大径部４２ｂと、太さの比較的細い小径部４２ａと、大径部４２ｂから小径部４２ａに向かって徐々に細くなるよう、テーパ状に形成された特定部分としての糸捲回部４３と、を備えている。胴部材４２は、上記不図示の突起が前記タル４７の下端開口と係合することにより、タル４７と同軸的に回動可能に構成されている。
　小径部４２ａ，大径部４２ｂ，糸捲回部４３は、断面が略円になるように形成されている。
　糸捲回部４３は、釣り糸を巻きつけるための部分であり、糸捲回部の一端側の最大径部４３ｂから他端側の最小径部４３ｃにかけて、斜辺が直線であるテーパ状に形成されている。なお、最大径部４３ｂから最小径部４３ｃまでは、斜辺が直線に限られず、斜辺が凸になった曲線、斜辺が凹になった曲線としてもよい。
　最大径部４３ｂから最小径部４３ｃまでの距離は、釣り糸の直径の約１０〜２０倍程度，具体的には０．５ｍｍ〜１０ｍｍ程度の長さとされている。また、最小径部４３ｃの径は、最大径部４３ｂの径よりも、釣り糸の直径の２倍〜４倍程度短くなっている。すなわち、最小径部４３ｃに、釣り糸を一巻きまたは二巻きすると、最大径部４３ｂの太さと同程度の太さとなる。
　なお、釣り糸の太さは、釣り糸によって様々であるが、ここでいう釣り糸の直径は、サルカン６と共に使用される釣り糸の直径をいう。サルカン６の大きさ，釣り糸の太さは、釣る魚に合わせて選定されるため、所定のサルカンに対して使用される釣り糸の太さは、ある程度決まってくるのである。
　具体的には、川釣りや日本の近海等における海釣り等で用いられるサルカン６の場合には、釣り糸として０．０５ｍｍ〜０．５ｍｍ程度のものを用いるのが一般的であるため、最大径部４３ｂの径よりも、最小径部４３ｃの径が、０．１ｍｍ〜２ｍｍ程度小さくなるようにするとよい。
　以上のように、特定部分は、最小径部４３ｃと所定の位置４２ｂとの径の差の長さと、特定部分の軸方向長さとの比が、１／１０〜２／５程度になるように形成されている。
　このように、糸捲回部４３は、最小径部４３ｃから所定の位置４２ｂにかけて、径が緩やかに大きくなっているので、結び目３１が極端に押し広げられて糸が切れやすくなることを防止することができるのである。
【００３８】
　また、小径部４２ａには、最小径部４３ｃからタル側４７へ糸２〜３本分程度の距離をおいた位置に、不図示の突起を配設してもよい。小径部４２ａの、最小径部４３ｃからタル４７側へ糸２〜３本程度の距離をおいた位置に、太さが太くなる不図示の段差を形成してもよい。これらの突起または段差は、上記参考例１の突起１５または段差１６と同様の構成とする。
　このように、突起または段差を設けることにより、糸捲回部４３に糸を巻くときに、突起または段差が滑り止めの役割を果たすので、胴部材端部４２ｃ側に、糸が滑ることがなく、糸捲回部４３に確実に糸を巻くことが可能となる。また、初心者であっても、糸捲回部４３に糸を巻き易いものとすることが可能となる。
【００３９】
　また、糸捲回部４３は、ゴム管，ウレタンチューブ等の弾力性素材からなる不図示のチューブで覆われていてもよい。
　このように、弾力性素材からなるチューブで覆われているため、糸を巻いたときに、糸がチューブに食い込んで埋まった状態となり、引っ張り荷重が掛かった場合でも、釣り糸がより胴部材端部４２ｃ側に移動しにくくなり、釣り糸が切れにくくなる。
　また、チューブ１７で覆われる代わりに、糸捲回部４３が、ゴム・合成樹脂などの弾力性素材によってコーティング加工されていてもよい。
【００４０】
　また、本参考例のサルカン６の端部４２ｃに、切断用溝を介して不図示の支持部材が、胴部材４２と一体として形成されるように構成してもよい。
　不図示の支持部材は、胴部材４２と同程度の太さを有する断面矩形の棒体からなり、胴部材４２に釣り糸を結びつけるときに、胴部材４２を手で支えるための取っ手としての役割を果たす。また、支持部材の断面を矩形としているため、胴部材４２に釣り糸を結びつけるときに、手で支持部材をしっかりと支えることが可能となり、また、胴部材４２と支持部材が回転するのを防ぐことが可能となる。支持部材のその他の構成は、上記実施形態１の支持部材２２の構成と同様である。
【００４１】
　不図示の切断用溝は、胴部材４２、不図示の支持部材よりも極端に細く形成されており、容易に折れ、胴部材４２と支持部材とが分離するように形成されている。切断用溝のその他の構成は、上記実施形態１の切断用溝２１の構成と同様である。
　また、支持部材及び切断用溝を設ける代わりに、大径部４２ｂの周囲に、胴部材端部４２ｃ側から、タル４７と逆方向に延びるように、補助チューブを被せてもよい。この補助チューブは、糸捲回部４３を覆わないように装着しておき、糸捲回部４３に釣り糸を結び付けた後に取り外してもよい。この場合には、補助チューブは、手で支える取っ手の役割を果たし、糸を巻き易くするという機能を果たす。
　また、切り込みを備えた補助チューブを、糸捲回部４３，大径部４２ｂを覆うように装着して、補助チューブの上から糸捲回部４３に糸を結んでもよい。
　切り込みを備えた補助チューブのその他の構成は、実施形態１の補助チューブ２４の構成と同様である。
　なお、本参考例のサルカン６は、タル４７の一方側にのみ、胴部材４２を配設し、他方には取付用環状体４１を配設しているが、取付用環状体４１の代わりに、胴部材４２を配設して、サルカン６の両端に胴部材４２を配設してもよい。
【００４２】
　本参考例のサルカン６の糸捲回部４３には、図１４（Ｂ）のように、釣り糸を結び付ける。結び方には、様々なものがあるが、実施形態１で説明した図６（Ａ）（Ｂ）の結び方と同様の結び方で、糸を結びつけることが可能である。
　釣り糸４８は、延長側４８ａが、結び目３１の最小径部４３ｃ側につながっている。そのため、水中で魚が掛かるなど、釣り糸４８が、図１４（Ｂ）の矢印Ｆ４方向に引っ張られた場合、この力は、直接結び目３１の最小径部４３ｃ側に伝達される。
　したがって、釣り糸４８がＦ４方向へ引っ張られることにより、結び目３１は、胴部材４２を締め付けることとなる。糸捲回部４３は、最大径部４３ｂから最小径部４３ｃにかけて、テーパ状に構成されているため、結び目３１が胴部材４２を締め付けた結果、結び目３１は、図１４（Ｂ）上方向の最小径部４３ｃ側に移動しようとする。したがって、結び目３１が、最大径部４３ｂ側に移動することが防止され、結び目が極端に押し広げられることがなくなり、結び目３１で糸が切れにくくなるのである。
【００４３】
　また、本願発明のほか、次のように構成することもできる。
●　先端側の針先部と、該針先部と連続して一体に設けられた後端側の針胴部と、該針胴部のうち糸が捲回される特定部分と、を備えた釣り針であって、前記特定部分は、前記後端側から前記針先部側へテーパ状に形成されている。
　このように、特定部分は、前記後端側から前記針先部側へテーパ状に形成されていると、次のような効果がある。
　すなわち、釣り針に魚がかかった場合、魚は釣り針が刺さったまま泳ぐので、釣り針は、ハリスを引っ張ることとなり、ハリスと釣り針とが結合する結び目には、ハリスを引っ張る方向に、引っ張り荷重がかかる。一方、ハリスは、この引っ張り荷重に釣り合う力で、釣り針を引っ張ることとなる。そして、ハリスが釣り針を引っ張った結果、結び目は針胴部を締め付けることとなる。特定部分は前記後端側から前記針先部側へテーパ状に形成されているので、結び目が針胴部を締め付けると、結び目は、径の小さい針先部側に移動しようとする。その結果、結び目が、径の大きい後端側に移動することを防止され、チモトで結び目が極端に押し広げられて糸が切れ易くなるという問題点が防止される。
【００４４】
　このとき前記特定部分は、前記釣り針の後端より所定距離内側の位置に、前記糸を所定回並列に捲回可能な長さに形成されていてもよい。
　このように構成されていると、特定部分に、所定回糸を巻き付けて結び目とすることが可能となり、特定部分に捲回された所定個の糸の環が、テーパ状の特定部分を締め付け、結び目に掛かる力が分散され、糸が切れ易くなることを防止可能となる。
【００４５】
●　先端側の針先部と、該針先部と連続して一体に設けられた後端側の針胴部と、該針胴部のうち糸が捲回される特定部分と、を備えた釣り針であって、前記釣り針の針胴部には、前記特定部分を含む前記針胴部を被覆し、前記後端方向に延長する弾性体からなる取っ手部材が嵌合固定され、該取っ手部材は、前記釣り針の針胴部を嵌装する針胴部嵌装手段と、該針胴部嵌装手段と連続して形成され、前記特定部分を被覆する特定部分被覆部と、前記針胴部嵌装手段と連続して形成され、前記後端方向に延長する本体部分と、を有し、前記本体部分は、前記特定部分被覆部に結びつけられ前記後端方向に伸びる糸が挿通する挿通経路を有する。
　このように、取っ手部材を備えていると、針胴部側を指で支えて特定部分に糸を結び付けることが可能となる。したがって、特定部分に糸を結びつけるときに、指が邪魔にならず、針先側を支えて糸を結びつける従来の方法と対比して、容易に糸を結ぶことが可能となる。また、針胴部側を支えて糸を結ぶことが可能となるため、従来困難であった結び方を行うことが可能となる。
　また、弾性体からなる取っ手部材の本体部分は、前記特定部分被覆部に結びつけられ前記後端方向に伸びる糸が挿通する挿通経路を有するように構成されているため、特定部分被覆部に結びつけた糸を、本体部分の挿通経路に通して本体部分内に格納し、釣り針付近の糸が魚により噛み切られることを防止することが可能となる。
【００４６】
　このとき、前記取っ手部材は、該取っ手部材の内側から外へ糸を導出可能な糸連通口を、前記特定部分被覆部の近傍に備えていてもよい。
　このように、糸連通口を備えていると、特定部分被覆部に取っ手部材内部から糸を直接導くことが可能となり、特定部分被覆部に糸を捲回することが容易になる。
【００４７】
●　軸体と、該軸体のうち糸が捲回される特定部分と、を有する釣り用部材であって、前記特定部分は、前記釣り用部材の端部側から中央側へ、テーパ状に形成されている。
　このとき、前記釣り用部材は、ヨリモドシであって、該ヨリモドシは、両端に開口を備えた中空略円筒体のタルと、該タルの第一の前記開口に、前記タルに対して回動可能に係合された取付用環状体と、前記タルの第二の前記開口に、前記タルに対して回動可能に係合された前記軸体と、を備え、前記端部側は、前記タルの逆側であって、前記中央側は、前記タル側であるとよい。また、前記取付用環状体の代わりに、前記軸体が、前記タルの第一の前記開口に、前記タルに対して回動可能に係合されていてもよい。
　このように、タルに対して回動可能に係合された前記軸体を備え、特定部分は、タルの逆側からタル側へ、テーパ状に形成されていると、魚が掛かってタルの軸体に結びつけた糸に引っ張り荷重が掛かった場合、次のような効果がある。すなわち、糸が引っ張られるのに応じて、結び目は引っ張られて軸体を締め付けることとなる。結び目が軸体を締め付けた結果、結び目は、特定部分の径の小さいタル側に移動しようとする。したがって、結び目が、径の大きいタルの逆側に移動することが防止され、結び目が極端に押し広げられることがなくなり、ヨリモドシの糸の結び目で糸が切れにくくなるのである。
【図面の簡単な説明】
【００４８】
【図１】本発明の参考例１に係る釣り針を示す説明図である。
【図２】本発明の参考例１に係る釣り針を示す説明図である。
【図３】本発明の参考例１に係る釣り針を示す説明図である。
【図４】本発明の参考例１に係る釣り針を示す説明図である。
【図５】本発明の参考例１に係る釣り針に、ハリスを結びつけたものを示す説明図である。
【図６】本発明の参考例１に係る釣り針に、ハリスを結びつける手順を説明するための図である。
【図７】本発明の実施形態１に係る釣り針を示す説明図である。
【図８】本発明の実施形態１に係る釣り針に、ハリスを結びつける手順を説明するための図である。
【図９】本発明の実施形態１に係る釣り針に、ハリスを結びつける手順を説明するための図である。
【図１０】本発明の実施形態１に係る釣り針に、ハリスを結びつける手順を説明するための図である。
【図１１】本発明の実施形態１に係る釣り針に、ハリスを結びつけたものを示す説明図である。
【図１２】本発明の実施形態１に係る釣り針に、ハリスを結びつけたものを示す説明図である。
【図１３】（Ａ）は、釣り針に、ハリスを結びつけたものを示す説明図である。（Ｂ）は、補助チューブを示す説明図である。
【図１４】本発明の参考例２に係る釣り用部材の説明図である。
【図１５】本発明の釣り針および釣り用部材を使用する釣り具の全体を示す説明図である。
【図１６】従来の釣り針を示す説明図である。
【図１７】従来の釣り針に、ハリスを結びつける手順を説明するための図である。
【図１８】従来の釣り針に、ハリスを結びつける手順を説明するための図である。
【図１９】従来の釣り針に、ハリスを結びつける手順を説明するための図である。
【符号の説明】
【００４９】
　１　道糸
　２　幹糸
　３　ハリス
　３ａ　ハリスの仕掛け側
　３ｂ　ハリスの糸巻き側
　３ｃ　環
　３ｄ　交差部
　３ｆ　交差チモト側部
　３ｈ　端部側
　５　釣り針
　６　サルカン
　７　錘
　８　釣り竿
　９　リール
　１１ａ　針先部
　１１ｂ　曲がり
　１２　針胴部
　１２ｂ　所定の位置
　１２ｃ　後端
　１３　糸捲回部
　１３ｂ　細胴部
　１３ｃ　最小径部
　１４　通常太さの箇所
　１５　突起
　１６　段差
　１７　チューブ
　２１　切断用溝
　２２　支持部材
　２３，２４　補助チューブ
　２４ａ　切り込み
　３１　結び目
　３２　チモト部側の結び目
　４１　取付用環状体
　４２　胴部材
　４２ａ　小径部
　４２ｂ　大径部
　４２ｃ　端部
　４３　糸捲回部
　４３ｂ　最大径部
　４３ｃ　最小径部
　４７　タル
　４８　釣り糸
　４８ａ　延長側
　５０　釣り針
　５１ａ　針先部
　５１ｂ　曲がり
　５２　胴部
　５３　チモト部
　　
【図１】
2004105194.tif 000003
【図２】
2004105194.tif 000004
【図３】
2004105194.tif 000005
【図４】
2004105194.tif 000006
【図５】
2004105194.tif 000007
【図６】
2004105194.tif 000008
【図７】
2004105194.tif 000009
【図８】
2004105194.tif 000010
【図９】
2004105194.tif 000011
【図１０】
2004105194.tif 000012
【図１１】
2004105194.tif 000013
【図１２】
2004105194.tif 000014
【図１３】
2004105194.tif 000015
【図１４】
2004105194.tif 000016
【図１５】
2004105194.tif 000017
【図１６】
2004105194.tif 000018
【図１７】
2004105194.tif 000019
【図１８】
2004105194.tif 000020
【図１９】
2004105194.tif 000021